(57)【要約】      （修正有）【課題】均し部材の下方で床構造鉄筋を水平のまま屈曲させずに、床構造鉄筋の量を大幅に軽減して、施工の簡略化を図った蓄熱床構造を提供する。【解決手段】蓄熱床構造５０は、外周の基礎梁１０Ａの内方に砂利蓄熱層２０を構築し、外周の基礎梁１０Ａの上面１２ａに、土台４５を配置し、対向する基礎梁１０Ａ間に均し部材４０を架設した。砂利蓄熱層２０の上面にコンクリート蓄熱層３０を構築し、その上面３１を土台４５の上面４６、均し部材４０の上面４２に合わせた。コンクリート蓄熱層３０内には、略水平で平面格子状の床構造鉄筋３３、３３が埋設され、床構造鉄筋３３は、均し部材部３５で、均し部材４０との間に必要なかぶり厚Ｈ０を確保して、かつ屈曲せずに均し部材４０の下方に屈曲せずに水平に配置された。均し部材４０の下方で、砂利蓄熱層２０の上面２１は平坦な面とした。【選択図】図２
0003229670.tif 000002
【実用新案登録請求の範囲】
【請求項１】
外周部にコンクリート製の基礎梁が形成された構築予定の建造物の地面上で、前記基礎梁の内方に、石材を敷き詰めた所定厚さの砂利蓄熱層が形成され、
かつ前記基礎梁の上面に、前記基礎梁に沿った土台が形成され、
かつ対向する前記基礎梁に、両端を前記基礎梁の上面付近に保持された鋼製の均し部材が架設され、
かつ前記砂利蓄熱層の上面に、前記土台および前記均し部材の上面に沿った上面を有するコンクリート蓄熱層が形成され、
かつ前記コンクリート蓄熱層の上に床仕上げ材が敷設されて構築される蓄熱床構造であって、
前記コンクリート蓄熱層内には、略水平で、平面格子状の床構造鉄筋が埋設され、
かつ前記床構造鉄筋は、前記均し部材の下面との間に必要なかぶり厚を確保して、前記均し部材の下方で、下方に屈曲せずに略水平構造のままに配置されたこと特徴とする蓄熱床構造。
【請求項２】
外周部および内部にコンクリート製の基礎梁が形成された構築予定の建造物の地面上で、前記外周部の基礎梁の内方に、石材を敷き詰めた所定厚さの砂利蓄熱層が形成され、
かつ前記外周部の基礎梁の上面に、前記外周部の基礎梁に沿った土台が形成され、
かつ対向する前記外周部の基礎梁に、両端を前記外周部の基礎梁の上面付近に保持された鋼製の均し部材が架設され、
かつ前記砂利蓄熱層の上面に、前記土台および均し部材の上面に沿った上面を有するコンクリート蓄熱層が形成され、
かつ前記コンクリート蓄熱層の上に床仕上げ材が敷設されて構築される蓄熱床構造であって、
前記コンクリート蓄熱層内には、略水平で、平面格子状の床構造鉄筋が埋設され、
かつ前記床構造鉄筋は、前記均し部材の下面との間に必要なかぶり厚を確保して、前記均し部材の下方で、下方に屈曲せずに略水平構造のままに配置され、
かつ前記床構造鉄筋は、前記内部の基礎梁の位置では、前記内部の基礎梁を貫通して配置されたことを特徴とする蓄熱床構造。
【請求項３】
均し部材の下方で、砂利蓄熱層には、前記均し部材に対応した凹部を形成せずに、前記砂利蓄熱層の上面を全体に平坦な形状とした請求項１または請求項２に記載した蓄熱床構造。
【考案の詳細な説明】
【技術分野】
【０００１】
本考案は、基礎梁の内側で床仕上げ部材の下方に、鉄筋量を軽減したコンクリート蓄熱層および砂利蓄熱層を構築した蓄熱床構造に関するものである。
【背景技術】
【０００２】
従来、基礎梁の内側で床仕上げ部材の下方にコンクリート蓄熱層および砂利蓄熱層を構築した蓄熱床構造は、出願人が実用化し、床仕上げ部材を敷設するコンクリート蓄熱層の上面を平らに均すなど様々な工夫を提案している（特許文献１〜３）。この場合、平らに均すための均し部材（定規）として、帯状の鋼板を使用し（特許文献１、特許文献２）、あるいはＨ型鋼を使用していた（特許文献２、３）。
この場合、コンクリート蓄熱層を床構造鉄筋のみ（均し部材を含めずに）で十分な強度を確保するために、通常のスラブと同様の床構造鉄筋を埋設していた（特許文献３の図２）。そこで、均し部材の下面では、均し部材から所定のコンクリートかぶり厚さを確保するために、床構造鉄筋を下方に屈曲して均し部材を避ける必要があった（特許文献３の図２）。
より具体的には、従来の蓄熱床構造５１では、均し部材４０を設けた平面位置（基礎梁１０Ｂは無い）では（図４右側）、水平方向で床構造鉄筋３３は均し部材４０と干渉するので、床構造鉄筋３３を下方に屈曲する必要がある。この場合、一般的なスラブ配筋の構造に対応して、床構造鉄筋３３を均し部材４０の近傍で切断して端縁６３、６３を形成していた。さらに均し部材４０の下面４１と所定のかぶり厚さＨ０を確保するために、下に凸に屈曲した屈曲床構造鉄筋６５を配置して、屈曲床構造鉄筋６５の水平端部６５ａ、６５ａと床構造鉄筋３３の端縁６３、６３を含む端部に十分な継手長さを確保するように重ねていた。さらに、砂利蓄熱層２０には、屈曲床構造鉄筋６５を避けるようにこれに対応した凹部２５を形成して、砂利蓄熱層２０を削っていた（図４）。
【０００３】
また、均し部材４０の下方に基礎梁１０Ｂが位置する平面位置では、やはり、水平方向で床構造鉄筋３３は均し部材４０と干渉するので、一般的なスラブ配筋の構造に対応して、床構造鉄筋３３を均し部材４０（基礎梁１０Ｂ）の近傍で切断して端縁６４、６４を形成していた（図４、中央部）。さらに均し部材４０の下面４１と所定のかぶり厚さＨ０を確保しながら、基礎梁１０Ｂを構築する際に、上端部切り欠き１７を形成しておき。上端部切り欠きから基礎梁１０Ｂに基端部を埋設した露出梁構造鉄筋（床構造鉄筋３３から基礎梁１０Ｂの梁構造鉄筋への差し筋の場合もある。）６１、６１を両側に水平方向に取り出していた。露出梁構造鉄筋６１、６１の水平部分と床構造鉄筋３３の端縁６４、６４を含む端部に十分な継手長さを確保するように重ねていた（図４、中央部）。そして、コンクリート蓄熱層３０を形成すると基礎梁１０Ｂの上端部切り欠きも一体にコンクリートが充填され、コンクリート蓄熱層３０と一体の基礎梁１０Ｂも形成されていた。
このような継手部分での鉄筋の重ねは格子状の全ての床構造鉄筋で生じていた。
【先行技術文献】
【特許文献】
【０００４】
【特許文献１】特開平１０−２７３９４８号公報
【特許文献２】特開２０００−１９２５６６号公報
【特許文献３】特開２００７−１９８１２２号公報
【考案の概要】
【考案が解決しようとする課題】
【０００５】
前記従来の蓄熱床構造では、均し部材４０（単独）部分で、屈曲床構造鉄筋６５を形成する手間や、屈曲床構造鉄筋６５と床構造鉄筋３３との継手部分で鉄筋の無駄が生じていた。また、均し部材４０（基礎梁１０Ｂ）部分で、露出梁構造鉄筋６１、６１を形成する手間や、露出梁構造鉄筋６１、６１の水平部分と床構造鉄筋３３との継手部分で鉄筋の無駄が生じていた。
また、基礎梁１０Ｂの露出梁構造鉄筋６１、６１が構築された後に、砂利蓄熱層２０、２０を形成しなければならず、露出梁構造鉄筋６１、６１が邪魔であった。
【課題を解決するための手段】
【０００６】
本考案では、コンクリート蓄熱層の床構造鉄筋を略水平を維持した状態で鋼製の均し部材の下面から十分なかぶり厚さを確保できるように形成したので、前記問題点を解決した。
【０００７】
すなわち、この考案は、外周部にコンクリート製の基礎梁が形成された構築予定の建造物の地面上で、前記基礎梁の内方に、石材を敷き詰めた所定厚さの砂利蓄熱層が形成され、
かつ前記基礎梁の上面に、前記基礎梁に沿った土台が形成され、
かつ対向する前記基礎梁に、両端を前記基礎梁の上面付近に保持された鋼製の均し部材が架設され、
かつ前記砂利蓄熱層の上面に、前記土台および前記均し部材の上面に沿った上面を有するコンクリート蓄熱層が形成され、
かつ前記コンクリート蓄熱層の上に床仕上げ材が敷設されて構築される蓄熱床構造であって、
前記コンクリート蓄熱層内には、略水平で、平面格子状の床構造鉄筋が埋設され、
かつ前記床構造鉄筋は、前記均し部材の下面との間に必要なかぶり厚を確保して、前記均し部材の下方で、下方に屈曲せずに略水平構造のままに配置されたこと特徴とする蓄熱床構造である。
【０００８】
また、他の考案は、外周部および内部にコンクリート製の基礎梁が形成された構築予定の建造物の地面上で、前記外周部の基礎梁の内方に、石材を敷き詰めた所定厚さの砂利蓄熱層が形成され、
かつ前記外周部の基礎梁の上面に、前記外周部の基礎梁に沿った土台が形成され、
かつ対向する前記外周部の基礎梁に、両端を前記外周部の基礎梁の上面付近に保持された鋼製の均し部材が架設され、
かつ前記砂利蓄熱層の上面に、前記土台および均し部材の上面に沿った上面を有するコンクリート蓄熱層が形成され、
かつ前記コンクリート蓄熱層の上に床仕上げ材が敷設されて構築される蓄熱床構造であって、
前記コンクリート蓄熱層内には、略水平で、平面格子状の床構造鉄筋が埋設され、
かつ前記床構造鉄筋は、前記均し部材の下面との間に必要なかぶり厚を確保して、前記均し部材の下方で、下方に屈曲せずに略水平構造のままに配置され、
かつ前記床構造鉄筋は、前記内部の基礎梁の位置では、前記内部の基礎梁を貫通して配置されたことを特徴とする蓄熱床構造である。
【０００９】
また、前記各考案において、均し部材の下方で、砂利蓄熱層には、前記均し部材に対応した凹部を形成せずに、前記砂利蓄熱層の上面を全体に平坦な形状とした蓄熱床構造である。
【考案の効果】
【００１０】
本考案では、コンクリート蓄熱層の床構造鉄筋を略水平で、かつ鋼製の均し部材の下面から十分なかぶり厚さを確保できるように、屈曲せずに水平状態を維持した構造とし、さらに基礎梁１０Ｂを貫通して、水平を維持したままで床構造鉄筋を構築したので、床構造鉄筋の継手部分を大幅に削減して、基礎梁の露出梁構造鉄筋を無くしたので、総体として床構造鉄筋他の鉄筋量の大幅に削減を実現できた。
また、屈曲床構造鉄筋の加工や基礎梁の露出梁構造鉄筋を無くしたので、施工効率の簡略化を実現できた。
【図面の簡単な説明】
【００１１】
【図１】図１は、この考案の平面図である。
【図２】図２は、図１のＡ部の端面図である。
【図３】図３（ａ）〜（ｄ）は、この考案の蓄熱床構造の構築過程を説明する端面図である。
【図４】図４は、従来例で、図２に相当する端面図である。
【考案を実施するための形態】
【００１２】
図面に基づきこの考案の実施形態を説明する。
【００１３】
１．蓄熱床構造５０の構築
【００１４】
（１）  建造物の構築位置で、所定の根切りをして、構築予定の基礎梁１０の下面に沿って割ぐり（砕石層）２．２を形成し、割ぐり２、２の上に、所定の基礎梁用の梁垂直構造鉄筋１３、１３、梁水平構造鉄筋（主鉄筋）１４、１４を配筋して型枠（図示していない）を配置して、この型枠内にコンクリートを打設して、基礎梁（布基礎）１０、１０を構築する（図３（ａ））。
この際、外周位置では、基礎梁１０Ａの上端１２ａまで形成して、基礎梁１０Ａの上端部にコンクリート蓄熱層３０の床構造鉄筋３３と定着するための露出水平鉄筋１５、１５を形成しておく。露出水平鉄筋１５は外周側を下方に向けて屈曲して、基礎梁１０Ａ内に定着させておく。また、内周側の基礎梁１０Ｂ、１０Ｂでは、基礎梁１０Ｂの下部１１のみ形成して、基礎梁１０Ｂの上部１２側を含めて、梁垂直構造鉄筋１３、１３、梁水平構造鉄筋（主鉄筋）１４、１４を形成しておく。
続いて、外周の基礎梁１０Ａ、１０Ａの内側に土を埋め戻し土の上面を土面３とし、構築予定の建造物の外周の地面ＧＬより土面３を５０ｍｍ程度高く設定する（図３（ａ）、図２）
【００１５】
（２）  続いて、外周の基礎梁１０Ａ、１０Ａの内側で、埋め戻した土の土面３の上に、砂利を敷き詰めて所定厚さの砂利蓄熱層２０、２０を構築する。ここでは、砂利蓄熱層２０の上面２１は、内側の基礎梁１０Ｂ、１０Ｂの下部上端１１ａ、１１ａの高さ位置より若干低く形成してある（図３（ｂ））。また、砂利蓄熱層２０は外側の基礎梁１０Ａ、１０Ａの近辺では、徐々に高さを低く（厚さを薄く）形成する（図３（ｂ）、図２）。
上記のように砂利蓄熱層２０、２０が構築されたならば、砂利蓄熱層２０、２０の上面を防湿用の樹脂フィルム２６、２６で覆う。
【００１６】
（３）  続いて、砂利蓄熱層２０（樹脂フィルム２６）の上方に高さ方向で所定の間隔を空けて、コンクリート蓄熱層用の床構造鉄筋３３、３３を配筋する。床構造鉄筋３３は、通常のスラブ用鉄筋と同様に平面格子状に配置し、外周部３４、３４では、基礎梁１０Ａの露出水平鉄筋１５、１５と重ねて、必要な定着長さを確保する。
また、床構造鉄筋３３が均し部材４０を横断する位置の均し部材部３５では、床構造鉄筋３３の均し部材部３５を、水平状態のまま、構築予定の均し部材４０の下方を横断して、均し部材４０の下面４１から必要なかぶり厚さＨ０を確保するように配置する（図２）。
また、床構造鉄筋３３が、内周側の基礎梁１０Ｂを横断して貫通する位置の基礎梁部３６では、基礎梁１０Ｂの上端１２ａに均し部材４０が位置する場合には、床構造鉄筋３３の基礎梁部３６を、均し部材部３５と同様に、水平状態のまま構築予定の均し部材４０の下面４１から必要なかぶり厚さＨ０を確保するように配置する（図１、図２、図３（ｃ））。
また、その他必要な鉄筋を配筋する（図示していない）。
【００１７】
（４）  また、外周の基礎梁１０Ａ、１０Ａの上面１２ａに木製の土台４５、４５を置き、通常の構造と同様に、土台４５を基礎梁１０Ａに埋設したアンカーボルト（図示していない）などと接合する。
また、外周の基礎梁１０Ａと基礎梁１０Ａの間に、Ｈ型鋼からなる均し部材４０、４０を架設して、均し部材４０の両端を土台４５に固定して、基礎梁１０Ａ付近に保持する（図１）。なお、均し部材４０の両端を基礎梁１０Ａ付近に保持できれば、保持構造は任意である。
ここで、通常は土台４５の上面４６と均し部材４０の上面４２の高さを同じに形成してある。
【００１８】
（５）  （３）（４）で、床構造鉄筋３３を屈曲させて均し部材４０、４０の下面４１をかわさなくても所定のかぶり厚さＨ０を確保したので、従来のような屈曲床構造鉄筋６５の鉄筋加工（図４）が省略され、屈曲床構造鉄筋６５と水平部分の重ね（継手長さ）の分だけ、鉄筋量を省略できる。さらに、内側の基礎梁１０Ｂを貫通する部分では、床構造鉄筋３３の端部を基礎梁１０Ｂ内に屈曲して（あるいは、基礎梁１０Ｂに床構造鉄筋３３と接合する鉄筋を係止する（図４）必要がなく、構造基準を満たすことができる。よって、図４に記載した露出梁構造鉄筋６１の省略など、基礎梁１０Ｂ内に屈曲するような差し筋を省略でき、あるいは、床構造鉄筋３３、３３の曲げ加工を省略できるので（図１）、大幅な加工作業や鉄筋量の削減を図ることができる。
【００１９】
（６）  続いて、基礎梁１０Ａ、１０Ａ内（砂利蓄熱層２０、２０の上）にコンクリートを流し込む。この際。土台４５の上面４６と均し部材４０の上面４２を同じ高さに形成してあるので、長い材料（木製角材など）を定規として、定規の両端部などを土台４５の上面４６や均し部材４０の上面４２に乗せて、未だ固まらないコンクリートの上面（固化後のコンクリート蓄熱層３０の上面３１）を均一に均すことができる。
【００２０】
（７）  このコンクリートが固化したならば、コンクリート蓄熱層３０が構築される（図３（ｄ）、図２）。この際、内側の基礎梁１０Ｂの下部上端１１ａの上側で、均し部材４０の下面４１との間は、コンクリートで一体となり、基礎梁１０Ｂの上部１２に相当する構造が形成される。また、基礎梁１０Ｂの下部１１の上面１１ａに続いて一体に上部１２が打ち継がれるので所定の基礎梁と同等となり、コンクリート蓄熱層３０と一体の所定の基礎梁１０Ｂが構築される。
【００２１】
（８）  続いて、コンクリート蓄熱層３０の上面３１に、単独で、あるいは必要な下地材とともに床仕上げ材（図示していない）を敷設すれば、蓄熱床構造５０を構築する。
以降は、従来の建造物と同様に、柱や壁などを構築して建造物を形成する（図示していない）。
【００２２】
（９）  なお、前記において、基礎梁１０Ｂで基礎張り１０Ｂの梁垂直構造鉄筋１３、梁水平構造鉄筋１４は通常、基礎梁１０の下部１１に内に埋設されるが、下部１１の上面から１１ａから多少突出する場合もある（図示していない）。
また、前記において、基礎梁１０Ｂの上部１２には梁構造鉄筋１３、１４は配筋されないで基礎梁１０Ｂの強度は十分確保できるが、強度上などの観点から、コンクリートのかぶり厚さを確保できれば、梁垂直構造鉄筋１３の上端部を下部１１の上端１１ａから上方に突出して梁垂直構造鉄筋１３ａを形成することもできる（図２の中央、鎖線図示１３ａ）。この場合には、梁垂直構造鉄筋１３ａに対応して、梁水平構造鉄筋も配筋する（図示していない）。
【００２３】
２．蓄熱床構造の他の実施形態
【００２４】
（１）  前記実施形態で、コンクリート蓄熱層３０内に床暖房用の配管を敷設することもできる（図示していない）。この場合、床暖房用の配管を均し部材４０の下面４１を通過する位置で、配管を曲げる加工をすることなく敷設できる。よって、施工の効率化と経費の軽減を図ることができる。
【００２５】
（２）  また、前記実施形態で、均し部材４０の下面４１に内側の基礎梁１０Ｂを配置した箇所があったが（図２の中央部）、全ての材４０の下面１に基礎梁１０Ｂが形成されない構造とすることもできる（図２の右側参照）。
【００２６】
（３）  また、前記実施形態で、コンクリート蓄熱層３０の上面３１、砂利蓄熱層２０の上面２１を全体に同じ高さとしたが、平面位置で均し部材４０を挟んだ両側で、コンクリート蓄熱層３０の上面３１が同一高さとなっていれば、他の平面位置ではコンクリート蓄熱層３０の上面３１、砂利蓄熱層２０の上面２１は任意である（図示していない）。
【００２７】
（４）  また、前記実施形態で、砂利蓄熱層２０の上面２１を平坦としたが、コンクリート蓄熱層３０の材厚を確保する必要などの理由により、上面２１で、均し部材４０の位置で、全部また一部で、凹部２１Ａを形成することもできる（図２鎖線図示２１Ａ）。
【００２８】
（５）  また、前記実施形態において、図１、図３で露出水平鉄筋１５の外周側を下方へ屈曲させた構造は、外周側を鉛直下方に屈曲するように図示したが（図１、図３）、一旦４５°程下方に屈曲した斜め部１６を経て、鉛直下方に屈曲することが多い（図２左側、鎖線図示１６）。なお、斜め部１６は、斜め部の上端を水平、下端を垂直に屈曲した差し筋で構成することもできる（図示していない）。
【００２９】
（６）  また、前記実施形態において、基礎梁１０Ｂとコンクリート蓄熱層３０とは同時にコンクリートを流して、コンクリ―トが固化した状態で、基礎梁１０Ｂとコンクリート蓄熱層３０とが一体の構造となる。したがって、基礎梁１０Ｂ内を水平のまま床構造鉄筋３３が貫通した構造となっているが、予め水平開口部を形成した基礎梁１０Ｂのみを構築して、その後に水平開口部に床構造鉄筋３３、３３を貫通させて配置し、コンクリート蓄熱層３０用のコンクリートを流して、基礎梁１０Ｂとコンクリート蓄熱層３０とが一体の構造とすることもできる（図示していない）。
【符号の説明】
【００３０】
３    埋め戻し土の土面
１０  基礎梁
１０Ａ  基礎梁（外周）
１０Ｂ  基礎梁（内側）
１１    基礎梁の下部
１１ａ  基礎梁の下部上面
１２    基礎梁の上部
１２ａ  基礎梁の上面
１３、１３ａ    基礎梁の梁垂直構造鉄筋
１４、１４ａ    基礎梁の梁水平構造鉄筋（主鉄筋）
１５    基礎梁の露出水平鉄筋（１０Ａ）
１７    基礎梁の上端部欠け部＜従来例＞
２０    砂利蓄熱層
２１  砂利蓄熱層の平坦面
２２  砂利蓄熱層の傾斜面
２３  砂利蓄熱層の外周縁
２５  砂利蓄熱層の凹部＜従来例＞
２６  樹脂フィルム
３０  コンクリート蓄熱層
３１  コンクリート蓄熱層の上面
３３  コンクリート蓄熱層の床構造鉄筋
３４  床構造鉄筋の外周部
３５  床構造鉄筋の均し部材部
３６  床構造鉄筋の基礎梁部
４０  均し部材
４１  均し部材の下面
４２  均し部材の上面
４５  土台
４６  土台の上面
５０  蓄熱床構造
５１  蓄熱床構造＜従来例＞
６１  基礎梁１０Ｂの露出梁構造鉄筋＜従来例＞
６３  床構造鉄筋の端縁＜均し部材位置。従来例＞
６４  床構造鉄筋の端縁＜基礎梁位置。従来例＞
６５  屈曲床構造鉄筋＜従来例＞
【図１】
0003229670.tif 000003
【図２】
0003229670.tif 000004
【図３】
0003229670.tif 000005
【図４】
0003229670.tif 000006